(57)【要約】      （修正有）【課題】サッシに強風が吹きつけてもサッシが飛ばされることなくしっかりと止めておくことができ、サッシが破損しないようにする上フレームの改良構造を提供する。【解決手段】本考案の上フレームの改良構造１は、基板１０１と、基板１０１の両側にそれぞれ設けられる第１遮断プレート１０２及び第２遮断プレート１０３と、第１遮断プレート１０２の下端に連結される掛合プレート１０６と、掛合プレート１０６と基板１０１の間に設けられるとともに、両側がそれぞれ第１遮断プレート１０２と第２遮断プレート１０３に連結される耐荷プレート１０７と、耐荷プレート１０７から垂直に下方に向かって延伸して形成される隔離プレート１１１と、耐荷プレート１０７と掛合プレート１０６及び隔離プレート１１１により囲繞されてなるスライド経路１１０と、掛合プレート１０６と耐荷プレート１０７の間に位置する開口１０８とを含む。【選択図】図１
0003218162.tif 000002
【実用新案登録請求の範囲】
【請求項１】
基板と、
前記基板の両側にそれぞれ設けられる第１遮断プレート及び第２遮断プレートと、
前記第１遮断プレートの下端に連結される掛合プレートと、
前記掛合プレートと前記基板の間に設けられるとともに、両側がそれぞれ第１遮断プレートと第２遮断プレートに連結される耐荷プレートと、
前記耐荷プレートから垂直に下方に向かって延伸して形成される隔離プレートと、
前記耐荷プレートと前記掛合プレート及び前記隔離プレートにより囲繞されてなるスライド経路と、
前記掛合プレートと前記耐荷プレートの間に位置する開口とを含み、
前記掛合プレートは、前記第１遮断プレートの下端からフレームの内側に向かって水平方向に一定距離だけ延伸してから、垂直に上方に向かって一定距離だけ延伸して形成されることを特徴とする上フレームの改良構造。
【請求項２】
基板と、
前記基板の両側にそれぞれ設けられる第１遮断プレート及び第２遮断プレートと、
前記第１遮断プレートと前記第２遮断プレートの間に設けられるとともに、第１遮断プレート及び第２遮断プレートと平行な第３遮断プレートと、
前記第１遮断プレートと前記第３遮断プレートの下端に連結される連結プレートと、
前記連結プレートの一方の側に設けられるとともに、前記第３遮断プレートの下端に連結される掛合プレートと、
前記掛合プレートと前記基板の間に設けられるとともに、両側がそれぞれ第１遮断プレートと第２遮断プレートに連結される耐荷プレートと、
前記耐荷プレートに設けられるとともに、耐荷プレートと掛合プレート及び隔離プレートにより囲繞されてなるスライド経路と、
前記掛合プレートと前記耐荷プレートの間に位置する開口とを含み、
前記掛合部材が装着されたサッシを掛合可能なように、該上フレームには掛合プレートが設けられており、第３遮断プレートを設けることで上フレームの構造強度が更に強化されるため、サッシが強風に吹き付けられた場合であっても掛合部材はサッシとともに更にしっかりと上フレームに掛合可能であり、且つ、引っ張り変形することなく、耐強風効果が発揮されることを特徴とする上フレームの改良構造。
【請求項３】
該掛合プレートには、嵌設溝が設けられている請求項１又は２に記載の上フレームの改良構造。
【請求項４】
該嵌設溝内には、ゴムテープが設けられている請求項３に記載の上フレームの改良構造。
【請求項５】
該隔離プレートは、前記耐荷プレートの中央位置から垂直に下方に向かって延伸して形成されている請求項１〜３のいずれか一項に記載の上フレームの改良構造。
【考案の詳細な説明】
【技術分野】
【０００１】
本考案は、フレームに関し、より詳細には、強風でも吹き飛ばされることなくサッシをフレームに引っ掛けることができる上フレームの改良構造に関する。
【背景技術】
【０００２】
一般的に、アルミニウム製の扉や窓は雨風を遮断するために設置されているが、台風や暴風雨のような異常気象に遭遇すると、強い風によってアルミニウム製のドアや窓が吹き飛ばされて雨や風が室内に侵入してしまうことがある。この場合には、天候が安定した後、住宅所有者が室内の破損した家具や物品を交換しなければならないというだけではなく、破損したアルミニウム製のドアや窓を修理する作業員を手配する必要もあり、住宅所有者にとって大規模な出費となってしまう。
【０００３】
従来の扉や窓のフレームを開示する文献として、下記の特許文献１が挙げられる。特許文献１に開示のフレームは、枠体にフレーム体を締結固定したサッシフレームをＲＣ造またはＳＲＣ造の躯体開口部に締結固定してなる構造において、前記躯体開口部の下辺にはモルタルを介して下部下地アングルが設けられ、前記躯体開口部の上辺には前記窓枠体と略同幅の間隔を有して両側にそれぞれ上部下地アングルが設けられ、前記フレーム体は前記窓枠体の左右縦辺に固定される縦フレーム材を有し、該縦フレーム材は上下端部がそれぞれ前記上部下地アングル及び下部下地アングルに固定され、前記縦フレーム材と上部下地アングル及び下部下地アングルに囲まれる領域に外壁パネルが取付けられてなる。
【０００４】
しかしながら、特許文献１に開示のフレームを用いても十分な強風に対する耐性を得ることはできていなかった。
【先行技術文献】
【特許文献】
【０００５】
【特許文献１】特開２００９−２４３１８７号
【考案の概要】
【考案が解決しようとする課題】
【０００６】
そこで、長年にわたり関連分野の研究開発経験を重ねて、上記欠点を掘り下げて議論し、上記の要求に基づいて積極的に解決策を模索することによって本考案を完成させた。
【０００７】
本考案の主な目的は、強風に対するサッシの耐性を高めることである。
【課題を解決するための手段】
【０００８】
上記目的を達成するために、本考案の上フレームの改良構造は、基板と、前記基板の両側にそれぞれ設けられる第１遮断プレート及び第２遮断プレートと、前記第１遮断プレートの下端に連結される掛合プレートと、前記掛合プレートと前記基板の間に設けられるとともに、両側がそれぞれ第１遮断プレートと第２遮断プレートに連結される耐荷プレートと、前記耐荷プレートから垂直に下方に向かって延伸して形成される隔離プレートと、前記耐荷プレートと前記掛合プレート及び前記隔離プレートにより囲繞されてなるスライド経路と、前記掛合プレートと前記耐荷プレートの間に位置する開口とを含む。
【０００９】
上記目的を達成するための別の形態として、本考案の上フレームの改良構造は、基板と、前記基板の両側にそれぞれ設けられる第１遮断プレート及び第２遮断プレートと、前記第１遮断プレートと前記第２遮断プレートの間に設けられるとともに、第１遮断プレート及び第２遮断プレートと平行な第３遮断プレートと、前記第１遮断プレートと前記第３遮断プレートの下端に連結される連結プレートと、前記連結プレートの一方の側に設けられるとともに、前記第３遮断プレートの下端に連結される掛合プレートと、前記掛合プレートと前記基板の間に設けられるとともに、両側がそれぞれ第１遮断プレートと第２遮断プレートに連結される耐荷プレートと、前記耐荷プレートに設けられるとともに、耐荷プレートと掛合プレート及び隔離プレートにより囲繞されてなるスライド経路と、前記掛合プレートと前記耐荷プレートの間に位置する開口とを含み、掛合プレートには、嵌設溝が設けられている。
【考案の効果】
【００１０】
上記上フレームの改良構造によれば、掛合プレートの設計により、フックを備えたサッシがフレームに引っ掛かるので、強風に対するサッシの耐性を高めることができるという優れた効果を示す。
【図面の簡単な説明】
【００１１】
【図１】本考案の実施形態１の上フレームの改良構造の概略図である。
【図２】本考案の実施形態１の上フレームの改良構造が実装された状態を示す模式図である。
【図３】本考案の実施形態２の上フレームの改良構造の概略図である。
【図４】本考案の実施形態２の上フレームの改良構造が実装された状態を示す模式図である。
【考案を実施するための形態】
【００１２】
本考案の目的、有用性、特徴及び構造をより明確に理解するために、好ましい実施形態を図示し、当該図面を参照しながら以下に説明する。
【００１３】
図１は、本考案の実施形態１の上フレームの改良構造の概略図であり、図２は、本考案の実施形態１の上フレームの改良構造が実装された状態を示す模式図である。
【００１４】
本考案の上フレームの改良構造は、基板１０１；基板１０１の両側にそれぞれ設けられて室内と屋外を区別する第１遮断プレート１０２及び第２遮断プレート１０３；第１遮断プレート１０２の下端に連結され、強い風に吹かれてもサッシが外れないように固定する掛合プレート１０６；掛合プレート１０６と基板１０１の間に設けられるとともにその両側がそれぞれ第１遮断プレート１０２と第２遮断プレート１０３に連結されてフレーム全体の強度を高める耐荷プレート１０７；耐荷プレート１０７に設けられ、耐荷プレート１０７から垂直に下方に向かって延伸して形成される隔離プレート１１１；耐荷プレート１０７と掛合プレート１０６及び隔離プレート１１１により囲繞されてなり、サッシの移動方向を規制するスライド経路１１０；掛合プレート１０６と耐荷プレート１１１の間に位置し、掛合プレート１０６にフック２を引っ掛けるための開口１０８；掛合プレート１０６に設けられた嵌設溝１０９を含む。掛合プレート１０６は、サッシの外周に接触するように、第１遮断プレート１０２の下端からサッシの内側に向かって水平方向に一定距離だけ延伸してから、垂直に上方に向かって一定距離だけ延伸して形成されている。該嵌設溝１０９内には、サッシの外枠の表面に接することによってサッシとフレームとの密着性を高めるためのゴムテープが設けられている。また、隔離プレート１１１は、耐荷プレート１０７の中央位置から垂直に下方に向かって延伸して形成されている。
【００１５】
本考案の上フレームの実装作業においては、フック２を備えたサッシと連動して最高の防風効果を発揮することができる。この実装作業においては、まず、フック２を上フレームの開口部１０８に通し、フック２を掛合プレート１０６に引っ掛けるとともに窓枠サッシの外枠をスライド経路１１０に差し込む。フック２を掛合プレート１０６に引っ掛けることで、フレーム内でサッシが動作可能となるスペースが狭くなる。これにより、サッシが強風に当たった時にもフック２がフレームにしっかりと引っ掛かっているので、サッシが大きく揺れることがないし、サッシがフレームに直接当たってしまうことを効果的に防止できる。これによりサッシが強風でスライド経路１１０から脱落して吹き飛ばされることを防止することができる。
【００１６】
図３は、本考案の実施形態２の上フレームの改良構造の概略図であり、図２は、本考案の実施形態２の上フレームの改良構造が実装された状態を示す模式図である。
【００１７】
本考案の上フレームの改良構造は、図３及び図４に示す実施形態２の形態であってもよい。当該実施形態の上フレームの改良構造は、基板１０１：基板１０１の両側にそれぞれ設けられて室内と屋外を区別する第１遮断プレート１０２及び第２遮断プレート１０３；第１遮断プレート１０２と前記第２遮断プレート１０３の間に設けられ、第１遮断プレート１０２及び第２遮断プレート１０３と平行な第３遮断プレート１０４；第１遮断プレート１０２と第３遮断プレート１０４の下端に連結されて第１遮断プレート１０２の構造的強度を補強する連結プレート１０５；連結プレート１０５の一方の側に設けられるとともに、第３遮断プレート１０４の下端に連結され、強風に吹かれてもサッシが外れないように固定する掛合プレート１０６；掛合プレート１０６と基板１０１の間に設けられるとともに、両側がそれぞれ第１遮断プレート１０２と第２遮断プレート１０３に連結されてフレーム全体の強度を高める耐荷プレート１０７；耐荷プレート１０７から垂直に下方に向かって延伸して形成される隔離プレート１１１；耐荷プレート１０７と掛合プレート１０６及び隔離プレート１１１により囲繞されてなり、サッシの移動方向を規制するスライド経路１１０：掛合プレート１０６と耐荷プレート１１１の間に位置し、掛合プレート１０６にフック２を引っ掛けるための開口１０８；掛合プレート１０６に設けられた嵌設溝１０９を含む。掛合プレート１０６は、サッシの外周に接触するように、第１遮断プレート１０２の下端からサッシの内側に向かって水平方向に一定距離だけ延伸してから、垂直に上方に向かって一定距離だけ延伸して形成されている。該嵌設溝１０９内には、サッシの外枠の表面に接することによってサッシとフレームとの密着性を高めるためのゴムテープが設けられている。また、隔離プレート１１１は、耐荷プレート１０７の中央位置から垂直に下方に向かって延伸して形成されている。
【００１８】
実施形態２の上フレームの改良構造の実装作業は、実施形態１のそれと同様であり、最高の防風効果を発揮するためには、フックを備えたサッシを取り付ける必要がある。すなわち、フック２を上フレームの開口部１０８に通し、フック２を掛合プレート１０６に引っ掛けるとともに窓枠サッシの外枠をスライド経路１１０に差し込む。フック２を掛合プレート１０６に引っ掛けることで、フレーム内でサッシが動作可能となるスペースが狭くなる。これにより、サッシが強風に当たった時にもフック２がフレームにしっかりと引っ掛かっているので、サッシが大きく揺れることがないし、ゴムテープを取り付けることでサッシがフレームに直接当たってしまうことを効果的に防止できる。これによりサッシが強風でスライド経路１１０から脱落して吹き飛ばされることを防止することができる。
【００１９】
最後に、実施形態２の考案のみではなく、実施形態１の考案でも強風時のサッシの抗力を高めることができる点では共通している。実施形態１と実施形態２との相違点としては、実施形態１における掛合プレートが、第１遮断プレート１０２の引張強度に応じて変形してしまうことの対策を講じている点である。すなわち、サッシに吹きつける風力が第１遮断プレート１０２の強度よりも強い場合にはサッシが吹き飛ばされる可能性があるが、実施形態２では第３遮断プレート１０４と連結プレート１０５とが追加されているので、サッシに吹きつける風力が第１遮断プレート１０２の引張強度だけに依存するのではなく、連結プレート１０５を介して第１遮断プレート１０２と第３遮断プレート１０４とが引っ張られることになる。このため、実施形態２において、サッシに強風が吹きつけてフック２がサッシを引っ張った時でもフレームが変形することなく、サッシを掛合プレート１０６に密着させることができる。
【００２０】
本考案の上フレームの改良構造によれば、掛合プレートの設計により、サッシをフックで固定できるので、サッシに強風が吹きつけられてサッシが強風に吹きつけられてもサッシをしっかりと固定することができる。これにより強風によってサッシが吹き飛ばされることも傷付けられることもなく、強風に対する耐性を高める効果が得られる。
【００２１】
上述のような上フレームの構造に関する国内外の技術情報文献を確認したところ、本考案がなされる前に同一又は類似の構造が存在しないという事実が明らかであった。このため、本考案及び本考案の類似製品の進歩性及び実用性が認められる。したがって、本考案は、「創造性」、「産業上の利用可能性」および「進歩性」という実用新案法上の登録要件を満たす。
【００２２】
上述の説明は、本考案の好ましい実施形態に過ぎず、本考案を利用するもの及びこれと同等の構造的な変更を加えたものはいずれも、本考案の実用新案登録請求の範囲に含まれるものと解される。
【符号の説明】
【００２３】
１  上フレームの改良構造
２  フック
１０１  基板
１０２  第１遮断プレート
１０３  第２遮断プレート
１０４  第３遮断プレート
１０５  連結プレート
１０６  掛合プレート
１０７  耐荷プレート
１０８  開口
１０９  嵌設溝
１１０  スライド経路
１１１  隔離プレート
【図１】
0003218162.tif 000003
【図２】
0003218162.tif 000004
【図３】
0003218162.tif 000005
【図４】
0003218162.tif 000006
【手続補正書】
【提出日】平成30年7月24日(2018.7.24)
【手続補正１】
【補正対象書類名】実用新案登録請求の範囲
【補正対象項目名】全文
【補正方法】変更
【補正の内容】
【実用新案登録請求の範囲】
【請求項１】
基板と、
前記基板の両側にそれぞれ設けられる第１遮断プレート及び第２遮断プレートと、
前記第１遮断プレートの下端に連結される掛合プレートと、
前記掛合プレートと前記基板の間に設けられるとともに、両側がそれぞれ第１遮断プレートと第２遮断プレートに連結される耐荷プレートと、
前記耐荷プレートから垂直に下方に向かって延伸して形成される隔離プレートと、
前記耐荷プレートと前記掛合プレート及び前記隔離プレートにより囲繞されてなるスライド経路と、
前記掛合プレートと前記耐荷プレートの間に位置する開口とを含み、
前記掛合プレートは、前記第１遮断プレートの下端からフレームの内側に向かって水平方向に一定距離だけ延伸してから、垂直に上方に向かって一定距離だけ延伸して形成されることを特徴とする上フレームの改良構造。
【請求項２】
基板と、
前記基板の両側にそれぞれ設けられる第１遮断プレート及び第２遮断プレートと、
前記第１遮断プレートと前記第２遮断プレートの間に設けられるとともに、第１遮断プレート及び第２遮断プレートと平行な第３遮断プレートと、
前記第１遮断プレートと前記第３遮断プレートの下端に連結される連結プレートと、
前記連結プレートの一方の側に設けられるとともに、前記第３遮断プレートの下端に連結される掛合プレートと、
前記掛合プレートと前記基板の間に設けられるとともに、両側がそれぞれ第１遮断プレートと第２遮断プレートに連結される耐荷プレートと、
前記耐荷プレートから垂直に下方に向かって延伸して形成される隔離プレートと、
前記耐荷プレートに設けられるとともに、耐荷プレートと掛合プレート及び隔離プレートにより囲繞されてなるスライド経路と、
前記掛合プレートと前記耐荷プレートの間に位置する開口とを含み、
フックが装着されたサッシを掛合可能なように、上フレームには掛合プレートが設けられており、第３遮断プレートを設けることで上フレームの構造強度が更に強化されるため、サッシが強風に吹き付けられた場合であってもフックはサッシとともに更にしっかりと上フレームに掛合可能であり、且つ、引っ張り変形することなく、耐強風効果が発揮されることを特徴とする上フレームの改良構造。
【請求項３】
該掛合プレートには、嵌設溝が設けられている請求項１又は２に記載の上フレームの改良構造。
【請求項４】
該嵌設溝内には、ゴムテープが設けられている請求項３に記載の上フレームの改良構造。
【請求項５】
該隔離プレートは、前記耐荷プレートの中央位置から垂直に下方に向かって延伸して形成されている請求項１〜３のいずれか一項に記載の上フレームの改良構造。